(57)【要約】【課題】  携帯電話機等の特定機器からの音を確実に聴音することができ、長時間装着しても耳等に不快感も感じさせないイヤホーンを提供すること。【解決手段】  イヤホーン本体１１に、耳介または当該耳介周辺の肌に押しつけて接着可能な感圧接着部３０を直接または間接に設ける。これにより、課題を解決するものである。特に、イヤホーン本体１１に、耳介または当該耳介周辺の肌に押しつけて接着可能な感圧接着部を有するカバー２０を着脱自在に装着する。これにより、上記課題を解決するとともに、種々のイヤホーンにも本発明を適用可能とするものである。【選択図】  図１
2006109393.tif 000002
【特許請求の範囲】
【請求項１】
特定機器が出力する信号を聴音可能な音声として出力するイヤホーン本体を有するイヤホーンにおいて、
前記イヤホーン本体に、耳介または当該耳介周辺の肌に押しつけて接着可能な感圧接着部を設けたことを特徴とするイヤホーン。
【請求項２】
特定機器が出力する信号を聴音可能な音声として出力するイヤホーン本体を有するイヤホーンにおいて、
前記イヤホーン本体に、耳介または当該耳介周辺の肌に押しつけて接着可能な感圧接着部を有するカバーを着脱自在に装着したことを特徴とするイヤホーン。
【請求項３】
請求項１または２に記載のイヤホーンであって、
前記特定機器と無線接続することを特徴とするイヤホーン。
【請求項４】
請求項１乃至３のいずれかに記載のイヤホーンであって、
骨伝導技術を利用することを特徴とするイヤホーン。
【発明の詳細な説明】
【技術分野】
【０００１】
本発明は、携帯電話機等の特定機器に接続されて当該特定機器から出力される音信号を聴音可能な音に出力するイヤホーン本体を有するイヤホーンに関する。
【背景技術】
【０００２】
特定機器（例えば携帯電話機）に接続されて当該特定機器から出力される音信号を聴音可能な音に出力するイヤホーン本体を有するイヤホーンが知られている（特許文献１参照）。
【０００３】
特許文献１に係るイヤホーンは、耳介縁部に装着するに適した形状を有する第１片と耳介縁部の裏側に位置され第１片と協働して耳介縁部を挟持する第２片を有し、第１片がイヤホーン本体近傍のコードに対する係止部を有しており、係止部をもってコードに留め、第１片と第２片により耳介縁部に交差状に装着するように構成されている。
【特許文献１】実用新案登録第３０７５１０６号
【発明の開示】
【発明が解決しようとする課題】
【０００４】
ところで、上記特許文献１に係るイヤホーンでは、しっかりとイヤホーン本体を脱落させることなく耳介に保持することができるという効果があると記載されているが、長時間イヤホーンを装着していると耳介が痛くなり不快感を感じることがある。
【０００５】
そこで、本発明の目的は、携帯電話機等の特定機器からの音を確実に聴音することができ、長時間装着しても耳等に不快感を感じさせないイヤホーンを提供することにある。
【課題を解決するための手段】
【０００６】
上記目的を達成するために、請求項１の発明は、特定機器が出力する信号を聴音可能な音声として出力するイヤホーン本体を有するイヤホーンにおいて、イヤホーン本体に、耳介または当該耳介周辺の肌に押しつけて接着可能な感圧接着部を設けたことを特徴とするものである。
【０００７】
請求項２の発明は、特定機器が出力する信号を聴音可能な音声として出力するイヤホーン本体を有するイヤホーンにおいて、イヤホーン本体に、耳介または当該耳介周辺の肌に押しつけて接着可能な感圧接着部を有するカバーを着脱自在に装着したことを特徴とするものである。
【０００８】
請求項３の発明は、請求項１または２に記載の発明において、特定機器とイヤホーンとを無線接続することを特徴とするものである。
【０００９】
請求項４の発明は、請求項１乃至３に記載の発明において、骨伝導技術を利用することを特徴とするものである。
【発明の効果】
【００１０】
上記請求項１の発明の場合、感圧接着部を耳の穴や耳周辺の肌に接着させてイヤホーン本体から出力される音を耳で聞こえるようにすることができる。感圧接着部の接着力により、イヤホーン本体が不用意に動くことが無いので、聴音可能な状態を確実に保持できる。また、長時間装着しても耳介等に不快感を感じさせない。したがって、携帯電話機等の特定機器からの音を確実に聴音することができる。
【００１１】
上記請求項２の発明の場合、請求項１の発明と同様な効果を奏する他、種々のイヤホーンのイヤホーン本体に感圧接着部を簡単に設けることができる。
【００１２】
請求項３の発明の場合、イヤホーン本体と特定機器とを接続するコードを必要としないので、イヤホーン装着時の煩わしさを軽減することができる。
【００１３】
請求項４の発明の場合、空気の振動ではなく骨の振動により音を伝えるので、周囲の雑音に関わり無くイヤホーンから出力される音声を聞き取ることができる。
【発明を実施するための最良の形態】
【００１４】
本発明の好適な実施形態を図面に基づき説明する。
【００１５】
本発明に係るイヤホーン１０は、図１に示すように、イヤホーン本体１１に、耳介または当該耳介周辺の肌に押しつけて接着可能な感圧接着部３０を設ける。
【００１６】
この実施形態では、イヤホーン１０は、特定機器である携帯電話機（図示省略）からの音声を聴音可能に構成されている。具体的には、イヤホーン１０は、携帯電話機に接続される接続端子部１３と、この接続端子部１３にコード１２を介して接続されたイヤホーン本体１１とを有している。このイヤホーン本体１１で、携帯電話機５から出力された信号を聴音可能な音に変換する。
【００１７】
この実施形態では、イヤホーン本体１１に、耳介または当該耳介周辺の肌に押しつけて接着可能な感圧接着部３０を有するカバー２０を着脱自在に装着する。カバー２０は弾力性のあるプラスチック等から製造する。なお、使用者にとって最も快適な装着感を提供することのできる素材としては、シリコンゴムが挙げられる。カバー２０を弾性変形させることにより、イヤホーン本体１１に密着して覆い被せることができる。感圧接着部３０は、イヤホーン本体１１を耳介や耳介周辺の肌に確実に接着させることができる感圧接着剤を塗布することで形成されており、耳介等を痛めることなく脱離できる程度の接着力を有する。
【００１８】
上記構成のイヤホーン１０では、イヤホーン本体１１に上記カバー２０を覆い被せることで、当該カバー２０の感圧接着部３０を耳の穴や耳周辺の肌に接着させてイヤホーン本体１１から出力される音を耳で聞こえるようにすることができる。カバー２０の感圧接着部３０の接着力によりイヤホーン本体１１が不用意に動くことは無いので、聴音可能な状態を確実に保持できる。また、長時間装着しても耳介等に不快感を感じさせない。したがって、携帯電話機等の特定機器からの音を確実に聴音することができる。
【００１９】
なお、上記実施形態では、イヤホーン本体に耳介または当該耳介周辺の肌に押しつけて接着可能な感圧接着部を有するカバーを着脱自在に装着したが、イヤホーン本体自体に耳介または当該耳介周辺の肌に押しつけて接着可能な感圧接着部を設けても、上記した場合と同様な効果を奏する。
【００２０】
また、上記実施形態では、コードを有し接続端子部を介して特定機器に接続するイヤホーンを例として用いたが、本発明は、コードレスのイヤホーンにも同様に適用することができる。すなわち、赤外線等を利用してイヤホーンと特定機器とを無線接続する種類のイヤホーンであっても、本発明を適用することができる。
【００２１】
あるいは、本発明は、空気の振動により音を伝えるイヤホーンのみならず、骨電動型のイヤホーンにも適用することができる。
【００２２】
さらに、本発明のイヤホーンと共に用いる特定機器は携帯電話機に限定されるものではなく、音信号を集力可能なラジオやテープレコーダなど、他の機器にも適用できる。
【図面の簡単な説明】
【００２３】
【図１】本発明の実施形態を説明するための図である。
【符号の説明】
【００２４】
１０    イヤホーン
１１    イヤホーン本体
１２    コード
１３    接続端子部
２０    カバー
３０    感圧接着部
【図１】
2006109393.tif 000003